(57)【要約】【課題】インターネット利用の遠隔見守りシステム用宅内装置のＩＰアドレス設定が自動的に行えるようにして、ネットワーク接続の起動毎にルータ等の設定を変更する手間がかからず、難しい設定作業を不要とする。【解決手段】宅内装置は、ネットワーク接続のためのルータ機能内蔵のｘＤＳＬモデム（又はブロードバンド・ルータ）を介してインターネットに接続され、該モデムはＤＨＣＰサーバの機能を持ち、宅内装置の電源ＯＮ時に自動的にＤＨＣＰサーバにＩＰアドレスの発行を要求し、それに応答してＤＨＣＰサーバからＩＰアドレスを取得できたときは、そのＩＰアドレスのうち、ホストアドレスはそのままとし、ネットワークアドレスは宅内装置に予め設定している固定値に入れ替えてそれを設定値とし、ＤＨＣＰサーバからＩＰアドレスを取得できないときは、前回、ＤＨＣＰサーバから取得したＩＰアドレスを設定値とする。【選択図】図１
2005318442.tif 000002
【特許請求の範囲】
【請求項１】
カメラにて撮影した宅内の画像を電話回線及びインターネットを介してサーバ装置に送信し、そのサーバ装置から当該画像をインターネット及び電話回線を介して携帯端末に送信する遠隔見守りシステムに用いられ、少なくとも前記サーバ装置との接続が行われた状態にて該サーバ装置に格納されているカメラ撮影動作その他の動作を含む制御命令を受信して当該制御命令を実行する宅内装置のＩＰアドレス設定装置であって、
前記宅内装置は、
ネットワーク接続のためのルータ機能内蔵のｘＤＳＬモデム又はブロードバンド・ルータ（以下、ルータ類という）を介してインターネットに接続され、該ルータ類はＤＨＣＰサーバの機能を持ち、
該宅内装置の電源ＯＮ時に自動的に前記ＤＨＣＰサーバにＩＰアドレスの発行を要求するアドレス要求手段と、
前記のＩＰアドレス発行要求に応答して、前記ＤＨＣＰサーバからＩＰアドレスを取得できたときは、ＤＨＣＰサーバから発行されたＩＰアドレスのうち、ホストアドレスはそのままとし、ネットワークアドレスは当該宅内装置に予め設定している固定値に入れ替えてそれを設定値とし、ＤＨＣＰサーバからＩＰアドレスを取得できないときは、前回、ＤＨＣＰサーバから取得したＩＰアドレスを設定値（宅内装置の初回起動時にはデフォルト値）とするアドレス自動設定手段と、を備え、
前記固定値は、通常使用環境下でのネットワークアドレス値よりも大きい値とし、
前記ルータ類に予め宅内装置の物理アドレスをユーザにより登録する手順を要することなく、自動で常に固定のＩＰアドレスが宅内装置に設定されるようにしたことを特徴とする遠隔見守りシステム用宅内装置のＩＰアドレス設定装置。
【請求項２】
宅内の情報を電話回線及びインターネットを介してサーバ装置に送信し、そのサーバ装置から当該情報をインターネット及び電話回線を介して携帯端末に送信する遠隔見守りシステムに用いられる宅内装置のＩＰアドレス設定装置であって、
前記宅内装置は、
ネットワーク接続のためのルータ機能内蔵のｘＤＳＬモデム又はブロードバンド・ルータ（以下、ルータ類という）を介してインターネットに接続され、該ルータ類はＤＨＣＰサーバの機能を持ち、
該宅内装置の電源ＯＮ時に前記ＤＨＣＰサーバにＩＰアドレスの発行を要求するアドレス要求手段と、
前記のＩＰアドレス発行要求に応答して、前記ＤＨＣＰサーバからＩＰアドレスを取得できたときは、ＤＨＣＰサーバから発行されたＩＰアドレスのうち、ホストアドレスはそのままとし、ネットワークアドレスは当該宅内装置に予め設定している固定値に入れ替えてそれを設定値とするアドレス設定手段と、を備え、
前記ルータ類に予め宅内装置の物理アドレスをユーザにより登録する手順を要することなく、常に固定のＩＰアドレスが宅内装置に設定されるようにしたことを特徴とする遠隔見守りシステム用宅内装置のＩＰアドレス設定装置。
【請求項３】
前記アドレス設定手段は、ＤＨＣＰサーバからＩＰアドレスを取得できないときは、前回、ＤＨＣＰサーバから取得したＩＰアドレスを設定値（宅内装置の初回起動時にはデフォルト値）とすることを特徴とする請求項２記載の遠隔見守りシステム用宅内装置のＩＰアドレス設定装置。
【発明の詳細な説明】
【技術分野】
【０００１】
本発明は、インターネットを利用した遠隔見守りシステム用宅内装置のＩＰアドレス設定装置に関する。
【背景技術】
【０００２】
ＴＣＰ／ＩＰ（Transmission Control Protocol／Internet Protocol）プロトコルを使用するインターネット（The internet）に、ＬＡＮ（Local area network）接続された複数のコンピュータ等の装置が接続される場合、ネットワーク上の装置のＩＰ（Internet Protocol）アドレスが必要である。ＬＡＮにおいて、一般のユーザ又はネットワーク管理者が各装置にＩＰアドレス（ホストアドレスとネットワークアドレス）を割振るには、使われていないＩＰアドレスを調べて、ＩＰアドレスを設定しなければならない。そのための方法として、既に割振ったＩＰアドレスのデータを何らかの手段で残しておき、既に設定したＩＰアドレス以外のＩＰアドレスを設定することが考えられる。
【０００３】
このＩＰアドレスの設定を自動化する方法として、ＤＨＣＰ（Dynamic Host Configuration Protocol：動的ホスト設定プロトコル）と呼ばれるプロトコルを利用する方法がある。ＤＨＣＰの動作は、あるネットワーク装置が、起動時にＤＨＣＰサーバにＩＰアドレスの取得を要求し、空いているＩＰアドレスを受け取る。ＤＨＣＰに関係しているネットワーク装置は起動中のみＩＰアドレスを保持している。つまり、次回起動時に同じ値のＩＰアドレスであるとは限らない。
【０００４】
そして、ＤＨＣＰによりＩＰアドレスを自動設定するときに、システムネットワーク上の有効なＩＰアドレスを取得するために、ネットワーク上を流れるＩＰパケットを見守りして、ネット内で未使用の可能性が高いＩＰアドレスを選択し、使用可能であるかどうか判断する方法が提案されている（例えば、特許文献１，２参照）。
【０００５】
また、過去に接続したネットワークの接続設定を記憶した履歴情報の中から所望のネットワーク接続設定を取得し、その取得したネットワーク接続設定を、現在設定されているネットワーク接続設定と置き換える方法がある（例えば、特許文献３参照）。
【０００６】
また、固定ＩＰアドレスの設定方法において、ユーザが入力したＩＰアドレスが使用できないＩＰアドレスの場合には、ユーザに入力をし直すようにメッセージを表示し、ユーザが入力したＩＰアドレスが使用可能なＩＰアドレスの場合、ＩＰアドレスを設定し、使用しているＩＰアドレスのリストに追加するものがある（例えば、特許文献４参照）。
【特許文献１】特開２００２−１９０８１１号公報
【特許文献２】特開２００２−２３７８１６号公報
【特許文献３】特開２００３−２８３５５０号公報
【特許文献４】特開２００３−３３３０５５号公報
【発明の開示】
【発明が解決しようとする課題】
【０００７】
ところで、インターネット利用の遠隔見守りシステム用宅内装置をネットワーク接続する際のＩＰアドレス設定において、上述の各公報に開示されたようなＩＰアドレス設定方法を適用した場合、ＤＨＣＰサーバからＩＰアドレスをそのまま取得すると、他のコンピュータ等の接続装置と宅内装置の起動順序等でＩＰアドレスが変わり、常に一定のＩＰアドレスを取得できない。外部からインターネット経由で宅内装置をアクセスするには、常に一定のＩＰアドレスである必要がある。従って、宅内装置がネットワークのルーティングを行うルータを介してインターネット接続される構成において、外部からインターネット経由で宅内装置をアクセス可能にするには、ネットワーク接続の起動毎にルータの設定を変更する手間が生じる。
【０００８】
また、機器に割り当てられた物理アドレスであるＭＡＣ（Media Access Control）アドレスを用いてＤＨＣＰサーバから常に同じＩＰアドレスを発行してもらうようにする場合は、ルータ等の機器に予め宅内装置のＭＡＣアドレスを調べて登録する必要があるため、コンピュータのネットワーク接続に詳しくない多くのユーザにとっては、ＩＰアドレス設定が難しい。
【０００９】
本発明は、上記問題を解消するものであり、インターネット利用の遠隔見守りシステム用宅内装置のＩＰアドレス設定が自動的に行え、ネットワーク接続の起動毎にルータ等の設定を変更する手間がかからず、また、予め宅内装置のＭＡＣアドレスを調べてルータ等の機器にそれを登録するといった難しい設定作業が不要となるＩＰアドレス設定装置を提供することを目的とする。
【課題を解決するための手段】
【００１０】
上述目的を達成するため、請求項１の発明は、カメラにて撮影した宅内の画像を電話回線及びインターネットを介してサーバ装置に送信し、そのサーバ装置から当該画像をインターネット及び電話回線を介して携帯端末に送信する遠隔見守りシステムに用いられ、少なくとも前記サーバ装置との接続が行われた状態にて該サーバ装置に格納されているカメラ撮影動作その他の動作を含む制御命令を受信して当該制御命令を実行する宅内装置のＩＰアドレス設定装置であって、前記宅内装置は、ネットワーク接続のためのルータ機能内蔵のｘＤＳＬモデム又はブロードバンド・ルータ（以下、ルータ類という）を介してインターネットに接続され、該ルータ類はＤＨＣＰサーバの機能を持ち、該宅内装置の電源ＯＮ時に自動的に前記ＤＨＣＰサーバにＩＰアドレスの発行を要求するアドレス要求手段と、前記のＩＰアドレス発行要求に応答して、前記ＤＨＣＰサーバからＩＰアドレスを取得できたときは、ＤＨＣＰサーバから発行されたＩＰアドレスのうち、ホストアドレスはそのままとし、ネットワークアドレスは当該宅内装置に予め設定している固定値に入れ替えてそれを設定値とし、ＤＨＣＰサーバからＩＰアドレスを取得できないときは、前回、ＤＨＣＰサーバから取得したＩＰアドレスを設定値（宅内装置の初回起動時にはデフォルト値）とするアドレス自動設定手段と、を備え、前記固定値は、通常使用環境下でのネットワークアドレス値よりも大きい値とし、前記ルータ類に予め宅内装置の物理アドレスをユーザにより登録する手順を要することなく、自動で常に固定のＩＰアドレスが宅内装置に設定されるようにしたものである。
【００１１】
また、請求項２の発明は、宅内の情報を電話回線及びインターネットを介してサーバ装置に送信し、そのサーバ装置から当該情報をインターネット及び電話回線を介して携帯端末に送信する遠隔見守りシステムに用いられる宅内装置のＩＰアドレス設定装置であって、前記宅内装置は、ネットワーク接続のためのルータ機能内蔵のｘＤＳＬモデム又はブロードバンド・ルータ（以下、ルータ類という）を介してインターネットに接続され、該ルータ類はＤＨＣＰサーバの機能を持ち、該宅内装置の電源ＯＮ時に前記ＤＨＣＰサーバにＩＰアドレスの発行を要求するアドレス要求手段と、前記のＩＰアドレス発行要求に応答して、前記ＤＨＣＰサーバからＩＰアドレスを取得できたときは、ＤＨＣＰサーバから発行されたＩＰアドレスのうち、ホストアドレスはそのままとし、ネットワークアドレスは当該宅内装置に予め設定している固定値に入れ替えてそれを設定値とするアドレス設定手段と、を備え、前記ルータ類に予め宅内装置の物理アドレスをユーザにより登録する手順を要することなく、常に固定のＩＰアドレスが宅内装置に設定されるようにしたものである。
請求項３の発明は、請求項２の発明において、アドレス設定手段は、ＤＨＣＰサーバからＩＰアドレスを取得できないときは、前回、ＤＨＣＰサーバから取得したＩＰアドレスを設定値（宅内装置の初回起動時にはデフォルト値）とするものである。
【発明の効果】
【００１２】
本発明によれば、宅内装置の電源ＯＮ時に自動的にＤＨＣＰサーバにＩＰアドレスの発行を要求し、ＩＰアドレスを取得できたときは、そのＩＰアドレスのうちのネットワークアドレスを当該宅内装置に予め設定している固定値に入れ替える、ＤＨＣＰサーバからＩＰアドレスを取得できないときは、前回、ＤＨＣＰサーバから取得したＩＰアドレスを設定値とする。このため、ユーザは煩雑な設定作業を行う必要なく、自動的に常に固定のＩＰアドレスが宅内装置に設定されるので、ｘＤＳＬモデム又はブロードバンド・ルータの設定が容易となる。固定値は、通常のネットワークアドレス値よりも大きい値とされるので、設定ＩＰアドレスが不適当な値になることは殆どない。
【発明を実施するための最良の形態】
【００１３】
以下、本発明を具体化した実施形態による遠隔見守りシステムについて図面を参照して説明する。図１は遠隔見守りシステムの全体構成を示す。この遠隔見守りシステム１は、宅内の状況を宅外から見守るために宅内の撮影画像を宅外から確認可能とするシステムであり、宅内の状況を外部に送信する機能を持つ宅内装置２と、宅内装置２をインターネット７経由で遠隔制御すると共に携帯端末３との間で交信されるサーバ装置４（Ｗｅｂサーバ）とを備える。
【００１４】
宅内装置２は、一般の家電製品と同様にユーザが宅内の適宜の位置に設置し電源ＯＮと電話回線５に接続するだけで、ルータ機能内蔵ｘＤＳＬ（Digital Subscriber Line;ｘは総称）モデム２０を介して自動的にネットワーク接続がなされ、インターネット７に接続されたサーバ装置４からの制御命令を実行し、サーバ装置４に宅内情報をアップロード可能となる。ｘＤＳＬモデム２０は、ブロードバンド・ルータでもよく、ＤＨＣＰサーバの機能を併せ持ち、宅内装置２に設定されるＩＰアドレスを出力する。サーバ装置４は、インターネット７に接続され、本遠隔見守りシステム１を運営し、サービスを提供するコンピュータである。
【００１５】
宅内装置２は、ユーザ宅の例えば子供や老人、ペット等が居る部屋に配置されて、所定の見守りエリアをカメラにて撮影する。宅内装置２は、電話回線、ＩＳＰ（Internet Service Provider）及びインターネット７を介して、サーバ装置４に常時接続可能になっている。宅内装置２の電源ＯＮ時における、宅内装置２とｘＤＳＬモデム２０とのＩＰ発行要求と取得処理（１）（２）については、後述する。
【００１６】
サーバ装置４は、携帯端末３にて設定された制御命令を携帯電話回線８及びインターネット７を介して受信して、その制御命令をインターネット７及び電話回線を介して宅内装置２に転送し、また、宅内装置２にて撮影された画像を電話回線及びインターネット７を介して受信して、その画像をインターネット７及び携帯電話回線８を介して携帯端末３に転送する。
【００１７】
携帯端末３は、携帯電話回線８及びインターネット７を介してサーバ装置４に接続可能になっていると共に、携帯電話回線８及び電話回線を介して宅内装置２に接続可能になっている。このような携帯端末３としては、ユーザの所持する携帯電話機やＰＤＡ（Personal Digital Assistant）等がある。携帯端末３は、宅内装置２にて撮影された画像の送信命令を含む宅内装置２を制御するための制御命令をサーバ装置４に対して設定し、また、宅内装置２にて撮影された画像を表示する。
【００１８】
図２は、遠隔見守りシステム１の動作のタイムチャートを示す。図１及び図２を参照して遠隔見守りシステム１の動作を説明する。（３）まず、ユーザは、携帯端末３を操作して、携帯端末３をサーバ装置４に接続し、宅内装置２を制御するための制御命令（例えば「画像送信」）を携帯端末３からサーバ装置４に送信する。（４）サーバ装置４は、制御命令が携帯端末３から送られてきたことを受けて、その制御命令を保存する。
【００１９】
（５）サーバ装置４は、保存している制御命令を常時接続の宅内装置２に送信する。（６）そして、宅内装置２は、サーバ装置４から受取った制御命令を実行し、（７）制御命令を実行完了した旨をサーバ装置４に通知する。このとき、例えば、制御命令が「画像送信」であった場合は、（８）宅内装置２は、カメラにて撮影している画像をキャプチャし、その画像をサーバ装置４に送信し、（９）サーバ装置４は、宅内装置２から送られてきた画像を保存する。（１０）その後、サーバ装置４は、制御命令を実行完了した旨を携帯端末３に電子メールで通知する。
【００２０】
ユーザは、携帯端末３に届いた電子メールにより制御命令が実行されたことを知る。このとき、例えば、制御命令が「画像送信」であった場合は、（１１）ユーザは、携帯端末３を操作して、携帯端末３をサーバ装置４に接続する。（１２）サーバ装置４は、携帯端末３が接続されると、保存している画像を携帯端末３に送信し、（１３）携帯端末３は、サーバ装置４から送られてきた画像を表示する。ユーザは、その表示画像を見ることで宅内の撮影画像を確認することができる。
【００２１】
また、遠隔見守りシステム１は、上述の動作に加え、以下のように動作する。まず、宅内装置２は、侵入者等を検出すると、カメラにて撮影している画像をキャプチャし、サーバ装置４へ接続して、異常が発生した旨をサーバ装置４に通知すると共に、そのときにキャプチャした画像をサーバ装置４に送信する。サーバ装置４は、宅内装置から送られてきた画像を保存し、異常が発生した旨を携帯端末３に電子メールで通知する。ユーザは、携帯端末３に届いた電子メールにより異常が発生したことを知り、携帯端末３を操作して、携帯端末３をサーバ装置４に接続する。サーバ装置４は、携帯端末３が接続されると、保存している画像を携帯端末３に送信し、携帯端末３は、サーバ装置４から送られてきた画像を表示する。ユーザは、その表示画像を見ることで、異常発生時に撮影された画像を確認することができる。
【００２２】
図３は宅内装置２のブロック構成を示す。宅内装置２は、ＣＰＵ等からなる制御部（請求項でいうアドレス要求手段、アドレス自動設定手段）１０と、宅内装置２が受信した制御指令や人体センサ１２の検出信号に応じて所定の監視エリアを撮影するカメラ１１と、人体の有無を検出する人体センサ１２と、電源スイッチ１５と、キャプチャされた静止画像を処理する画像処理部２２と、キャプチャされた静止画像を記憶する画像メモリ２３と、サーバ装置４のＩＰアドレスや宅内装置２の固定のＩＰアドレス、ｓ／ｎ（シリアルナンバー）、ユーザＩＤ、パスワード等を記憶させるメモリ２４と、ｘＤＳＬモデム２０等が接続されるＬＡＮポート２５を備える。
【００２３】
制御部１０は、サーバ装置４から送信される制御命令を受信して、その制御命令を実行し、制御命令の実行後に制御命令を実行完了した旨をサーバ装置４に送信する。
【００２４】
上記の遠隔見守りシステム１における宅内装置２のＩＰアドレス設定のための構成及び動作を先述の図１を参照して説明する。ＩＰアドレス設定装置は、ネットワーク接続のためのルータ機能内蔵のｘＤＳＬモデム２０から出力されるＩＰアドレスを受信する宅内装置２自身から成る。ｘＤＳＬモデム２０に代えてブロードバンド・ルータを用いてもよい（これらをルータ類という）。また、宅内において、ｘＤＳＬモデム２０には、宅内装置２だけでなく、その他のコンピュータがＬＡＮ接続され、このＬＡＮ接続の各装置がインターネット７に接続されるようになっていてもよい。
【００２５】
ネットワーク接続時に、ｘＤＳＬモデム２０には、ＩＳＰから固有のグローバルＩＰが割り当て付与される。これにより、外部からインターネット経由でアクセス可能となる。宅内装置２は、電源ＯＮ時に、ｘＤＳＬモデム２０、つまりＤＨＣＰサーバにＩＰアドレスの発行を要求する（１）。ＤＨＣＰサーバは、割り当てのＩＰアドレスを送信する（２）。このＩＰアドレスは、ローカルなプライベートＩＰである。
【００２６】
図４は、宅内装置２の電源ＯＮ時の制御部１０によるＩＰアドレス設定処理の動作を示す。宅内装置２の電源ＯＮ時に、制御部１０は自動的に、ｘＤＳＬモデム２０が有するＤＨＣＰサーバにＩＰアドレスの発行を要求する（＃１：アドレス要求手段）。このＩＰアドレス発行要求に応答して、ＤＨＣＰサーバは割り当てＩＰアドレスを送信する。制御部１０はＤＨＣＰサーバからＩＰアドレスを取得できたかを調べ（＃２）、ＩＰアドレスを取得できたときは、ＤＨＣＰサーバから発行されたＩＰアドレスのうち、ホストアドレスはそのままとし、ネットワークアドレスは当該宅内装置２に予め設定している固定値に入れ替えてそれを設定値とする（＃３：アドレス自動設定手段）。ＤＨＣＰサーバからＩＰアドレスを取得できないときは、前回、ＤＨＣＰサーバから取得したＩＰアドレスを設定値（宅内装置の初回起動時にはデフォルト値）とする（＃４：アドレス自動設定手段）。
【００２７】
図５は、ＩＰアドレス（ホストアドレスとネットワークアドレス）のビット構成を示す。ここに、ルータのＬＡＮ側アドレスは、グローバルＩＰであり、例えば、「192.168.0.1」であったとし、他にコンピュータがＬＡＮ接続されていて、宅内装置２に対するＤＨＣＰサーバからの割り当てＩＰが、「192.168.0.3」であったとする。この場合、最後の桁の「3」を破棄し、固定値「230」に入れ替える（実際には、アドレスは２進数でなる）。この固定値は、通常使用環境下でのネットワークアドレス値よりも大幅に大きく、一般には使用しない値にする。これにより、宅内装置２に常に固定のＩＰアドレスが自動設定されることになる。従って、従来のように、ルータ類に予め宅内装置２のＭＡＣアドレス（物理アドレス）をユーザにより登録するといった手順を必要としなくなり、コンピュータ等のＬＡＮ接続を知らないユーザでも、容易に宅内装置２のＬＡＮ接続設定が可能となる。また、ルータ機能内蔵ｘＤＳＬモデム２０やブロードバンド・ルータの設定も簡単になる。なお、上記固定値は、宅内装置２の製造メーカが出荷前にメモリ２４に書き込んでおく。
【００２８】
本発明は、発明の趣旨を変更しない範囲で種々の変形が可能であり、例えば、上記では、ネットワークアドレスを固定値「230」に入れ替える例を示したが、この値に限られることはない。
【図面の簡単な説明】
【００２９】
【図１】本発明の一実施形態に係る遠隔見守りシステムの全体構成図。
【図２】同上システムの動作のタイムチャート図。
【図３】同上システムの宅内装置のブロック構成図。
【図４】同上宅内装置の電源ＯＮ時のＩＰアドレス設定処理の動作を示すフローチャート図。
【図５】同上宅内装置のＩＰアドレスのビット構成を示す図。
【符号の説明】
【００３０】
１  遠隔見守りシステム
２  宅内装置
３  携帯端末
４  サーバ装置
７  インターネット
１０  制御部（アドレス要求手段、アドレス自動設定手段）
２０  ルータ機能内蔵ｘＤＳＬモデム
【図１】
2005318442.tif 000003
【図２】
2005318442.tif 000004
【図３】
2005318442.tif 000005
【図４】
2005318442.tif 000006
【図５】
2005318442.tif 000007